(57)【要約】【課題】撮影手段により撮影された画像と実像との色合いに違和感が生じることを防止できる写真撮影装置、写真撮影プリント装置、プリント紙ユニット、および写真撮影装置の制御方法を提供する。【解決手段】連続照明装置に対応するホワイトバランスにて被写体のライブビュー画像を撮影するとともに、写真閃光灯に対応するホワイトバランスにて被写体の静止画像を撮影する。【選択図】　図１
2004140528.tif 000002
【特許請求の範囲】
【請求項１】
被写体を撮影する撮影手段と、被写体を連続的に照明する連続照明装置と、被写体に閃光を照射する写真閃光灯とを備えている写真撮影装置において、
上記撮影手段は、上記連続照明装置に対応する第１の撮影設定値にて被写体の動画像を撮影するとともに、上記写真閃光灯に対応する第２の撮影設定値にて被写体の静止画像を撮影することを特徴とする写真撮影装置。
【請求項２】
上記撮影手段は、上記静止画像を撮影する前に、上記第１の撮影設定値を上記第２の撮影設定値に変更することを特徴とする請求項１に記載の写真撮影装置。
【請求項３】
上記撮影手段は、上記動画像を撮影した後に、上記第１の撮影設定値を上記第２の撮影設定値に変更することを特徴とする請求項１または２に記載の写真撮影装置。
【請求項４】
上記撮影設定値は、ホワイトバランス値であることを特徴とする請求項１ないし３のいずれか１項に記載の写真撮影装置。
【請求項５】
請求項１ないし４のいずれか１項に記載の写真撮影装置と、
上記撮影手段にて撮影した静止画像を含む画像をプリント紙にプリントするプリント手段とを備えていることを特徴とする写真撮影プリント装置。
【請求項６】
請求項５に記載の写真撮影プリント装置に用いられるプリント紙ユニットであって、
画像がプリントされるプリント紙と、上記プリント紙に関する識別情報を記録する識別媒体とを備え、
上記写真撮影プリント装置に備えられた識別情報読み取り手段によって、上記識別媒体に記録されている識別情報が読み取られ、その内容が確認された上で上記プリント手段により上記プリント紙に画像がプリントされることを特徴とするプリント紙ユニット。
【請求項７】
被写体を撮影する撮影手段と、被写体を連続的に照明する連続照明装置と、被写体に閃光を照射する写真閃光灯とを備えている写真撮影装置の制御方法において、
上記連続照明装置に対応する第１の撮影設定値にて被写体の動画像を撮影するとともに、上記写真閃光灯に対応する第２の撮影設定値にて被写体の静止画像を撮影することを特徴とする写真撮影装置の制御方法。
【発明の詳細な説明】
【０００１】
【発明の属する技術分野】
本発明は、被写体を撮影するとともに、該撮影により取得された画像に基づき、所望の場合には該画像に編集処理を施した上で、シール紙などのプリント紙にプリント出力する写真撮影装置、写真撮影プリント装置、プリント紙ユニット、および写真撮影装置の制御方法に関するものである。
【０００２】
【従来の技術】
従来、たとえばゲームセンターなどの娯楽施設において、利用者の撮影を行うとともに、その撮影によって取得された撮影画像に対して、背景画像などと合成した上でシールプリントとして出力する写真撮影プリント装置が設置されており、人気を博している。
【０００３】
そして、これらの写真撮影プリント装置においては、蛍光灯等などの連続照明装置により連続的に照明しつつ、被写体をデジタルカメラ等のカメラで連続的に撮影した画像をモニタにて表示する、いわゆる「ライブビュー表示機能」により、撮影ポーズの確認を行うことができる。ライブビュー表示の後、写真撮影プリント装置は、ストロボランプ等の写真閃光灯を用いてフラッシュ光を被写体に照射することにより、被写体の静止画像を撮影する。
【０００４】
さらに、上記の写真撮影プリント装置では、ユーザにより撮影された静止画像（以下、単に撮影画像という）をタブレット付きのモニタに表示することにより、ユーザがタッチペンにより撮影画像に落書き編集を施せるようにしている。落書き編集後の撮影画像は、シール紙などのプリント紙にプリント出力される。また、写真撮影プリント装置では、以下の特許文献１に示すように、被写体をズームアップして撮影したり、全身撮影したりする機能が備わっているものもある。
【０００５】
【特許文献１】
特開２００１−３３７３８６号公報（平成１３年１２月７日公開）
【０００６】
【発明が解決しようとする課題】
ところで、上記の写真撮影プリント装置では、一般的に、ライブビュー撮影用のカメラにおけるホワイトバランスが、フラッシュ撮影に合わせて調整されることにより、撮影画像における色合いが適切に表現されるようになっている。
【０００７】
なお、ホワイトバランスとは、白いものが白にきちんと写るように、光源の発色（色温度）に応じてカラーバランスを補正するための調整値である。ホワイトバランスを正しく調整しないと色温度の違いにより、蛍光灯の元では緑色っぽく、白熱電灯の元では赤味が強くなってしまう傾向がある。
【０００８】
しかしながら、ホワイトバランスをフラッシュ撮影に合わせて調整すると、ライブビュー表示時においてモニタで視認される画像と、撮影画像とで、色合いが異なってしまうという問題がある。
【０００９】
この問題が発生する原因としては、図５および図６に示すように、ストロボランプの分光分布と、蛍光灯の分光分布とが大きく異なっていることが挙げられる。つまり、ストロボランプの色温度分布と、蛍光灯の色温度分布とが異なっているので、ストロボランプに応じて適切に設定されたホワイトバランスは、蛍光灯には適切に設定されていないものとなるのである。
【００１０】
また、デジタルカメラによっては、照射光量を計測しつつホワイトバランスを連続的に変更して適切なホワイトバランスを探しだすというように、ホワイトバランスを自動調整するタイプのものも存在する。したがって、ライブビュー表示時とフラッシュ撮影時とでホワイトバランスを自動調整する方法が採用される場合もある。
【００１１】
しかしながら、この場合、ホワイトバランスを自動調整するために撮影時間が長引くという問題が生じる。さらに、フラッシュ撮影時において瞬間的に入射する外乱光にホワイトバランスの自動調整機能が対応しきれず、撮影画像の色合いが乱れてしまうという問題も生じる。
【００１２】
本発明は、上記従来の問題点に鑑みなされたものであって、その目的は、撮影手段により撮影された画像と実像との色合いに違和感が生じることを防止できる写真撮影装置、写真撮影プリント装置、プリント紙ユニット、および写真撮影装置の制御方法を提供することにある。
【００１３】
【課題を解決するための手段】
本発明の写真撮影装置は、上記課題を解決するために、被写体を撮影する撮影手段と、被写体を連続的に照明する連続照明装置と、被写体に閃光を照射する写真閃光灯とを備えている写真撮影装置において、上記撮影手段が、上記連続照明装置に対応する第１の撮影設定値にて被写体の動画像を撮影するとともに、上記写真閃光灯に対応する第２の撮影設定値にて被写体の静止画像を撮影することを特徴としている。
【００１４】
また、本発明の写真撮影装置の制御方法は、上記課題を解決するために、被写体を撮影する撮影手段と、被写体を連続的に照明する連続照明装置と、被写体に閃光を照射する写真閃光灯とを備えている写真撮影装置の制御方法において、上記連続照明装置に対応する第１の撮影設定値にて被写体の動画像を撮影するとともに、上記写真閃光灯に対応する第２の撮影設定値にて被写体の静止画像を撮影することを特徴としている。
【００１５】
すなわち、写真撮影装置における撮影手段の撮影設定値は、静止画像のプリント物における色合いを適切に表現するべく、写真閃光灯に対応する値に設定されていることが多い。しかしながら、写真閃光灯と連続照明装置とは色温度が異なるので、撮影手段における撮影設定値を写真閃光灯に対応する値に設定したままで被写体の動画像を撮影すると、被写体は適切な色合いにて撮影されない。
【００１６】
そこで、本発明は、特に、撮影手段が、連続照明装置に対応する第１の撮影設定値にて被写体の動画像を撮影するとともに、写真閃光灯に対応する第２の撮影設定値にて被写体の静止画像を撮影することを特徴としている。
【００１７】
上記構成により、連続照明装置に対応する第１の撮影設定値にて被写体の動画像を撮影するので、該動画像を適切な色合いにて外部機器に表示させることができる。一方、写真閃光灯に対応する第２の撮影設定値にて被写体の静止画像を撮影するので、該静止画像を適切な色合いにて外部機器に印刷させることができる。
【００１８】
したがって、ユーザが外部機器に表示された上記動画像を確認する際において、実像と表示画像との色合いに違和感が生じることを防止できる。さらに、ユーザが上記静止画像のプリント物を確認する際においても、実像とプリント物との色合いに違和感が生じることを防止できる。それゆえ、ユーザの満足度の向上を図ることができる。
【００１９】
また、本発明の写真撮影装置は、予め設定された第１の撮影設定値と第２の撮影設定値とを用いて被写体を撮影するものであり、上述したようなホワイトバランスを自動調整するタイプのものではない。したがって、撮影時間の長期化を招来することもない。また、第２の撮影設定値を外乱光を考慮して設定することにより、外乱光によってプリント物の色合いが乱されてしまうことも防止できる。
【００２０】
また、本発明の写真撮影装置は、上記課題を解決するために、上記構成の写真撮影装置において、上記撮影手段が、上記静止画像を撮影する前に、上記第１の撮影設定値を上記第２の撮影設定値に変更することを特徴としている。
【００２１】
上記構成によれば、被写体の静止画像を撮影する際には撮影設定値が第１の撮影設定値から第２の撮影設定値に確実に変更されている。よって、より確実に該静止画像を適切な色合いにて外部機器に印刷させることができる。
【００２２】
したがって、実像と静止画像のプリント物との色合いに違和感が生じることを確実に防止できる。それゆえ、ユーザの満足度の向上を確実に図ることができる。
【００２３】
また、本発明の写真撮影装置は、上記課題を解決するために、上記構成の写真撮影装置において、上記撮影手段が、上記動画像を撮影した後に、上記第１の撮影設定値を上記第２の撮影設定値に変更することを特徴としている。
【００２４】
上記構成によれば、被写体の動画像を撮影する際には撮影設定値が第１の撮影設定値に確実に設定されている。よって、より確実に該動画像を適切な色合いにて外部機器に表示させることができる。
【００２５】
したがって、ユーザが外部機器に表示された上記動画像を確認する際において、実像と表示画像との色合いに違和感が生じることを確実に防止できる。それゆえ、ユーザの満足度の向上を確実に図ることができる。
【００２６】
また、本発明の写真撮影装置は、上記課題を解決するために、上記構成の写真撮影装置において、上記撮影設定値が、ホワイトバランス値であることを特徴としている。
【００２７】
上記構成によれば、撮影された画像の色合いに大きな影響を与えるホワイトバランス値について、連続照明装置に対応する値と、写真閃光灯に対応する値とを設定し、撮影手段にて動画像や静止画像の撮影を行う。
【００２８】
よって、ユーザが外部機器に表示された上記動画像を確認する際のみならず、静止画像のプリント物を確認する際においても、実像と表示画像またはプリント物との色合いに違和感が生じることを効果的に防止できる。それゆえ、ユーザの満足度をより向上させることができる。
【００２９】
また、本発明の写真撮影プリント装置は、上記課題を解決するために、上記いずれかの構成の写真撮影装置と、上記撮影手段にて撮影した静止画像を含む画像をプリント紙にプリントするプリント手段とを備えていることを特徴としている。
【００３０】
上記構成によれば、適切な色合いで撮影された被写体の静止画像をプリント紙にプリントすることができる。したがって、ユーザが上記静止画像のプリント物を確認する際において、実像とプリント物との色合いに違和感が生じることを防止できる。それゆえ、ユーザの満足度の向上を図ることができる。
【００３１】
また、本発明のプリント紙ユニットは、上記課題を解決するために、上記構成の写真撮影プリント装置に用いられるプリント紙ユニットであって、画像がプリントされるプリント紙と、上記プリント紙に関する識別情報を記録する識別媒体とを備え、上記写真撮影プリント装置に備えられた識別情報読み取り手段によって、上記識別媒体に記録されている識別情報が読み取られ、その内容が確認された上で上記プリント手段により上記プリント紙に画像がプリントされることを特徴としている。
【００３２】
上記の構成によれば、識別情報読み取り手段で読み取った識別情報に基づいて、装着されたプリント紙が、当該写真撮影プリント装置において利用可能なものであるかを判定し、利用可能である場合にのみプリント手段を動作可能とすることが可能となる。すなわち、写真撮影プリント装置において指定されているプリント紙以外は使用できないように設定することが可能となる。
【００３３】
また、識別情報に用紙枚数情報を含ませることによって、プリント紙を使用するごとに用紙枚数をカウントダウンすることにより、残りの用紙枚数を把握することが可能となる。よって、残りの用紙枚数が少なくなってきた際に、これを表示手段などによって警告するような構成としておけば、ユーザの利用中に用紙切れを起こすというような不具合を回避することが可能となる。
【００３４】
また、識別情報に用紙種類情報を含ませることによって、これらを考慮して画像データの色成分などを補正することにより、その用紙やインクフィルムに的確な画像出力を行うことが可能となる。
【００３５】
【発明の実施の形態】
本発明の一実施形態について、図１ないし図４に基づいて説明すれば以下のとおりである。
【００３６】
図２に示すように、写真撮影プリント装置（写真撮影装置）１には、コイン投入口２ａ、コイン返却口２ｂ、撮影装置３、タッチパネル４、タッチペン５・５、スピーカ６・６、蛍光灯（連続照明装置）７・７、正面ストロボランプ（写真閃光灯）８・８、上部白熱灯（連続照明装置）９・９、上部ストロボランプ（写真閃光灯）１０、およびプリント物排出口１１が正面に設けられている。なお、写真撮影プリント装置１の正面とは、写真撮影プリント装置１における利用者と対向する面を指す。
【００３７】
また、写真撮影プリント装置１の内部には、図３に示されるように、プリント出力装置（プリント手段）１２、制御装置１３、およびコイン処理装置１４が設けられている。以下、写真撮影プリント装置１の各構成について説明する。
【００３８】
コイン投入口２ａは、図２に示すように、利用者が写真撮影プリント装置１の利用料金として所定のコインを所定枚数だけ投入するための投入口である。このコイン投入口２ａに連通して、コイン処理装置１４が写真撮影プリント装置１の内部に設けられている。
【００３９】
コイン処理装置１４は、図３に示すように、所定のコインが投入されたか否かを判定するものである。また、コイン処理装置１４は、所定金額分のコインが投入されたと判定した場合には、制御装置１３に通知し、投入されたコインを、コインを蓄積するコイン容器（図示せず）に送り出す。一方、所定のコイン以外のコインが投入されたと判定した場合には、投入されたコインをコイン返却口２ｂに送り出す。
【００４０】
なお、紙幣やコインを所定のコインに両替する両替機が写真撮影プリント装置１の近くに存在しない場合には、新たに紙幣投入口を設けて、紙幣処理装置を設けたり、釣銭処理装置を設けたりすることが望ましい。
【００４１】
撮影装置３は、図２に示すように、主に利用者を被写体として写真撮影を行う装置であり、上下方向に移動可能であり、かつ上下方向に傾斜可能であるように写真撮影プリント装置１の正面中央部に配備される。これにより、被写体を様々なアングルから撮影することができる。
【００４２】
また、撮影装置３の前方の空間が、撮影を行う撮影空間となる。なお、前方とは、撮影装置３から利用者に向かう方向を意味する。
【００４３】
また、撮影装置３の移動や傾斜は、利用者が手動で行ってもよいし、写真撮影プリント装置１にモータなどの駆動装置を設けて写真撮影プリント装置１が自動的に行うようにしてもよい。
【００４４】
また、撮影装置３は、被写体を撮影する撮影カメラ（撮影手段）１５を備える。撮影カメラ１５は、たとえばレンズ群、絞り、ＣＣＤ撮像素子などを備えたデジタルカメラによって構成される。この撮影カメラ１５は、全身撮影とクローズアップ撮影との両方に対応できるように、たとえば使用するレンズ群および絞りを切り替えられるような構成となっている。
【００４５】
さらに、撮影装置３の下部には、モニタ３ａが配備されている。モニタ３ａは、たとえばＬＣＤ（Ｌｉｑｕｉｄ　Ｃｒｙｓｔａｌ　Ｄｉｓｐｌａｙ）などのフラットパネルディスプレイにより構成されている。モニタ３ａは、主に被写体のライブビューを表示するために用いられるものである。
【００４６】
タッチパネル４は、写真撮影プリント装置１の中央部であって、撮影装置３の下部に配備される。タッチパネル４は、たとえばＬＣＤなどのフラットパネルディスプレイやＣＲＴ（Ｃａｔｈｏｄｅ　Ｒａｙ　Ｔｕｂｅ）など表示面にタッチセンサを設けて構成されている。タッチパネル４は、各種のメッセージや画像などを表示するとともに、利用者から各種の指示や選択などが入力される。
【００４７】
タッチペン５は、タッチパネル４の近くに配備される。タッチペン５は、画像編集処理などにおいて、タッチパネル４上で細かな操作入力を利用者が行うためのものである。利用者は、このタッチペン５をタッチパネル４に接触または接近させることによって、処理の進行に応じて表示されるボタンを選択したり、落書きなどの画像編集を行ったりすることができる。なお、複数の利用者が容易に画像編集を行うようにするために、タッチペン５を複数本配備したり、タッチパネル４を複数個配備したりすることもできる。
【００４８】
プリント出力装置１２は、図３に示すように、画像をプリント出力するものであり、写真撮影プリント装置１の内部に配備される。なお、プリント出力装置１２の構成については後述する。
【００４９】
プリント物排出口１１は、図２に示すように、プリント出力装置１２から出力された写真プリントを写真撮影プリント装置１の外部に排出するためのものである。プリント物排出口１１は、写真撮影プリント装置１の正面における下部に配備してもよいし、側面に配備してもよい。
【００５０】
蛍光灯７・７は、ライブビュー表示時において被写体を連続的に照明するものである。正面ストロボランプ８・８および上部ストロボランプ１０は、撮影時に写真閃光灯として機能するものである。上部白熱灯９・９は、常に写真撮影プリント装置１内を照らし、ユーザが写真撮影プリント装置１の各操作部分を視認することができるようにするものである。なお、蛍光灯７・７、正面ストロボランプ８・８、上部白熱灯９・９および上部ストロボランプ１０からなる照明用光源２１における点灯の制御は、図３に示すように、制御装置１３により行われる。
【００５１】
制御装置１３は、図３に示すように、写真撮影プリント装置１における各種構成を統括的に制御するものであり、写真撮影プリント装置１の内部に配備される。スピーカ６・６は、図２に示すように、各種操作上のガイダンス音声や効果音などを出力するものであり、写真撮影プリント装置１の正面の適所に配備される。
【００５２】
制御装置１３は、たとえばＰＣベースのコンピュータによって構成される。そして、各種構成の動作制御は、制御プログラムをコンピュータに実行させることによって行なわれる。
【００５３】
上記プログラムは、たとえばＣＤ−ＲＯＭなどのリムーバブルメディアに記録されているものを読み出して使用する形態であってもよいし、ハードディスクなどにインストールされたものを読み出して使用する形態であってもよい。また、この制御装置１３がインターネットなどの通信ネットワークに接続された構成とする場合、この通信ネットワークを介して上記プログラムをダウンロードしてハードディスクなどにインストールして実行する形態なども考えられる。
【００５４】
制御装置１３は、上記したハードディスクなどの不揮発性の記憶装置によって構成される記憶部１６を備える。この記憶部１６に記憶される内容としては、上記した制御プログラム、ＯＳ（Ｏｐｅｒａｔｉｎｇ　Ｓｙｓｔｅｍ）プログラム、その他の各種プログラム、撮影装置３における動作設定値、撮影した画像および編集した画像の画像データなどが挙げられる。
【００５５】
上記の撮影装置３における動作設定値としては、装置出荷時やメンテナンス時などに設定されるホワイトバランスの値、撮影画像の明暗などを調整する際の画像処理に関する各種パラメータ値などが挙げられる。
【００５６】
コイン処理装置１４は、前述のように、コイン投入口２ａから所定のコインが投入されたと判定すると、制御装置１３に通知するものである。制御装置１３は、コイン処理装置１４からの通知を受け取ると、課金処理を行う。すなわち、制御装置１３は、コイン処理装置１４からの通知をカウントし、利用者が投入した金額に応じて、利用者に対する各種動作を制御する。
【００５７】
プリント出力装置１２は、プリンタ１７およびＩＤタグリーダ／ライタ（識別情報読み取り手段）１８を備える構成である。このプリント出力装置１２に対して、写真プリントの出力媒体となるプリント紙２０およびＩＤタグ（識別媒体）１９がプリント紙ユニットとしてセットで納入されるようになっている。
【００５８】
プリンタ１７は、出力すべき画像データが制御装置１３から送られてくると、その画像データに基づいてプリント紙２０に印刷するものである。このプリンタ１７としては、たとえば昇華型プリンタが用いられる。なお、昇華型プリンタを用いる場合には、プリント紙２０およびＩＤタグ１９に加えて、昇華型用インクフィルムがセットととなって納入されることになる。
【００５９】
ＩＤタグリーダ／ライタ１８は、ＩＤタグ１９に記録されている各種識別情報を読み出して制御装置１３に出力する。ＩＤタグ１９は、メモリ機能を有するＩＣチップなどによって構成されるものである。上記識別情報としては、固有ＩＤ、用紙枚数、用紙種類、および、インク固有の色情報（インクフィルムがセットとなっている場合）などが挙げられる。
【００６０】
制御装置１３は、ＩＤタグリーダ／ライタ１８で読み取った識別情報に基づいて、装着されたプリント紙２０およびインクフィルムが、当該写真撮影プリント装置１において利用可能なものであるかを判定し、利用可能である場合にのみプリンタ１７を動作可能とする。すなわち、写真撮影プリント装置１において指定されているプリント紙２０およびインクフィルム以外は使用できないように設定されていることになる。
【００６１】
また、ＩＤタグ１９に記録されている用紙枚数情報に基づいて、プリント紙の使用ごとに用紙枚数をカウントダウンしていくことによって、残りの用紙枚数を把握することが可能となる。よって、残りの用紙枚数が少なくなってきた際に、これを表示手段などによって警告するような構成としておけば、利用者の利用中に用紙切れを起こすというような不具合を回避することが可能となる。
【００６２】
なお、用紙枚数をカウントダウンする際には、ＩＤタグ１９に記録されている用紙枚数情報も書き換えることが望ましい。これにより、用紙を使い切った場合には、ＩＤタグ１９に記録されている用紙枚数情報も０となり、このＩＤタグ１９を無効にすることが可能となる。
【００６３】
また、ＩＤタグ１９に記録されている用紙種類情報や、インク固有の色情報を読み出すことによって、これらを考慮して画像データの色成分などを補正することにより、そのプリント紙２０やインクフィルムに的確な画像出力を行うことが可能となる。
【００６４】
ＩＤタグ１９としては、無線（ワイヤレス）によりデータ通信を行うことが可能な非接触型ＩＤタグと、端子が設けられた接触型ＩＤタグとがあり、ＩＤタグリーダ／ライタ１８としては、これらの何れか一方あるいは両方に対応したものとなる。
【００６５】
なお、上記の例では、利用可能なプリント紙２０であるか否かを確認するために、ＩＤタグ１９を利用しているが、これに限定されるものではなく、たとえば、プリント紙２０およびインクフィルムを梱包する梱包材などにプリントされているバーコードなどを利用する構成としてもよい。しかしながら、バーコードを用いる場合には、含めることのできる情報量が少ないことや、たとえば用紙枚数のカウントダウンによる情報の書き換えができない、などの問題がある。
【００６６】
なお、上記のプリント紙２０としては、通常の紙状媒体である紙状シートであってもよいし、粘着シートおよび該粘着シールの粘着面に貼り付けられている剥離シートからなるシールシートであってもよい。
【００６７】
上記構成の写真撮影プリント装置において、利用者による撮影から編集、印刷に至るプレイ動作について、図４に基づいて説明する。
【００６８】
利用者が写真撮影プリント装置１における撮影空間内に進入して（ステップＳ１。以下、各ステップを単に「Ｓ…」と記載する。）、コイン投入口２ａから代金としてコインを投入すると、コイン処理装置１４から制御装置にコインの投入が通知されることにより、所定のコインが投入されたか否かのチェックが行なわれる（Ｓ２）。所定金額が投入されたことが確認される（Ｓ３）と、プレイ動作が開始され、以下の処理が行なわれる。
【００６９】
まず、撮影処理が行われる（Ｓ４）。撮影処理は主に以下のように行われる。まず、撮影枚数や撮影時間の設定を行う。すなわち、利用者の希望する絵柄の背景本体を背景移動装置によって展開する。これらの操作は、利用者が手動で行うこともできるし、利用者に操作される遠隔操作機からの指示に基づいて、制御装置が背景移動装置を制御することにより、自動的に行うこともできる。
【００７０】
次に、撮影の設定が行われる。すなわち、全身撮影装置またはアップ撮影装置の選択や、撮影アングルの調整が行なわれる。アップ撮影装置を選択した場合には、アップ撮影装置が手動または自動により、写真撮影プリント装置１から利用者側の適所に移動させられる。
【００７１】
次に、全身撮影の場合には、全身撮影装置のカメラが撮影するライブビュー画像をＬＣＤに表示し、一方、アップ撮影の場合には、アップ撮影装置のカメラが撮影するライブビュー画像をＬＣＤに表示する。利用者は、上記ライブビュー画像を参照しつつ所望のポーズをとり、所望のタイミングで遠隔操作機の撮影ボタンを押すと、カウントダウン後に撮影が実行される。
【００７２】
特に、本実施形態の写真撮影プリント装置１は、Ｓ４における撮影処理において、ホワイトバランスの設定値を調整する点に特徴がある。この点については後述する。
【００７３】
そして、再び撮影を行う場合には、ステップＳ４に戻って上記の撮影処理を繰返し、撮影を終了する場合には、次の編集処理に進む。
【００７４】
次に、撮影処理によって取得された撮影画像に対して画像の編集処理を行う（Ｓ６）。編集処理は、主に以下のように行われる。まず、複数回の撮影により取得された複数の撮影画像をタッチパネル４に表示し、これら複数の撮影画像の中から落書きなどの編集処理を行う撮影画像の選択を行う。これにより、撮影時に目をつぶってしまったり、不本意な状態で撮影されたりした撮影画像などを排除して、利用者の好みにあった画像を選択することができる。
【００７５】
次に、選択された撮影画像をタッチパネル４に表示し、タッチペン５を用いて、撮影画像に対して色の変更、落書きなどの画像編集を行う。なお、背景本体が絵柄のないカーテン、すなわち単色無模様のカーテンである場合には、画像編集処理において背景画像を選択して撮影画像に合成する処理が行なわれる。
【００７６】
そして、別の撮影画像に対して画像編集を行う場合には、上記の編集処理（Ｓ６）を繰返し、画像編集を終了する場合には、次の処理に進む（Ｓ７）。
【００７７】
次に、写真プリントの出力処理を行う（Ｓ８）。出力処理は、主に以下のように行われる。まず、プリント紙上での分割数または分割パターンを利用者に選択させ、選択された分割領域ごとに、Ｓ６にて編集処理された編集画像が印刷されるように、プリンタを制御して印刷を行う。その後、プリント排出口から印刷された写真プリントが排出されて、利用者のプレイ動作が終了する。
【００７８】
次に、本実施形態の写真撮影プリント装置１の特徴点である、ホワイトバランスの設定値を調整するためのフローについて図１を用いて説明する。
【００７９】
先ず、撮影処理においては、蛍光灯７・７および上部白熱灯９・９により連続的に被写体を照明しつつ、撮影カメラ１５にて連続的に被写体を撮影するライブビュー表示（Ｓ１０）が行われる。なお、ライブビュー表示中において、撮影カメラ１５のホワイトバランスは、連続照明装置としての蛍光灯７・７および上部白熱灯９・９に対して適切な値に設定されている。
【００８０】
ライブビュー表示の後、タッチペンやボタンを用いた静止画像の撮影指示がユーザにからあったか否かを判断する（Ｓ１１）。
【００８１】
撮影指示があった場合、制御装置１３は、ホワイトバランスの設定値を変更する（Ｓ１２）。具体的に、制御装置１３は、ホワイトバランスを、ライブビュー表示の際に設定されている連続照明装置に適切な値から、写真閃光灯としての正面ストロボランプ８・８および上部ストロボランプ１０に対して適切な値に変更する。
【００８２】
ホワイトバランスの設定値変更後、制御装置１３は、シャッタ信号を出力する（Ｓ１３）。シャッタ信号は、Ｓ１１におけるユーザの撮影指示から一定時間カウントダウンした後に出力される。なお、被写体を所定時間間隔にて連続的に撮影するモード（連写モード）を利用する場合、シャッタ信号を所定時間間隔にて連続的に出力すればよい。
【００８３】
上記のシャッタ信号を受信することにより、撮影装置３は、撮影カメラ１５を用いて被写体の静止画像を撮影する（Ｓ１４）。その後、制御装置１３は、撮影画像を撮影装置３から取り込み、記憶部１６に記憶させる（Ｓ１５）。その後、規定枚数が撮影されたか否かを判断し（Ｓ１６）、規定枚数が撮影されている場合には、撮影処理を終了する。なお、撮影処理を終了する場合には、ホワイトバランスの値は、ライブビュー表示の際に設定されている連続照明装置に適切な値に戻してもよい。
【００８４】
一方、規定枚数が撮影されていない場合には、再びＳ１０のライブビュー表示に戻る。この際、ホワイトバランスの値は、ライブビュー表示の際に設定されている連続照明装置に適切な値に戻される。
【００８５】
このように、本実施の形態の写真撮影プリント装置１は、撮影カメラ１５が、蛍光灯７および上部白熱灯９に対応する第１の撮影設定値にて被写体のライブビュー画像を撮影するとともに、正面ストロボランプ８および上部ストロボランプ１０に対応する第２の撮影設定値にて被写体の静止画像を撮影する。
【００８６】
また、本実施の形態の写真撮影装置の制御方法は、蛍光灯７および上部白熱灯９に対応する第１の撮影設定値にて被写体のライブビュー画像を撮影するとともに、正面ストロボランプ８および上部ストロボランプ１０に対応する第２の撮影設定値にて被写体の静止画像を撮影する。
【００８７】
上記構成により、蛍光灯７および上部白熱灯９に対応する第１の撮影設定値にて被写体のライブビュー画像を撮影するので、ライブビュー画像を適切な色合いにて外部機器に表示させることができる。一方、正面ストロボランプ８および上部ストロボランプ１０に対応する第２の撮影設定値にて被写体の静止画像を撮影するので、該静止画像を適切な色合いにて外部機器に印刷させることができる。
【００８８】
したがって、ユーザが外部機器に表示されたライブビュー画像を確認する際において、実像と表示画像との色合いに違和感が生じることを防止できる。さらに、ユーザが上記静止画像のプリント物を確認する際においても、実像とプリント物との色合いに違和感が生じることを防止できる。それゆえ、ユーザの満足度の向上を図ることができる。
【００８９】
また、本実施の形態の写真撮影プリント装置１は、撮影カメラ１５が、静止画像を撮影する前に、第１の撮影設定値を第２の撮影設定値に変更するものである。
【００９０】
上記構成によれば、被写体の静止画像を撮影する際には撮影設定値が第１の撮影設定値から第２の撮影設定値に確実に変更されている。よって、より確実に該静止画像を適切な色合いにて外部機器に印刷させることができる。
【００９１】
また、本実施の形態の写真撮影プリント装置１は、撮影カメラ１５が、動画像を撮影した後に、第１の撮影設定値を第２の撮影設定値に変更するものである。
【００９２】
上記構成によれば、被写体のライブビュー画像を撮影する際には撮影設定値が第１の撮影設定値に確実に設定されている。よって、より確実にライブビュー画像を適切な色合いにて外部機器に表示させることができる。
【００９３】
したがって、ユーザが外部機器に表示されたライブビュー画像を確認する際において、実像と表示画像との色合いに違和感が生じることを確実に防止できる。
【００９４】
また、本実施の形態の写真撮影プリント装置１は、撮影設定値が、ホワイトバランス値である。
【００９５】
上記構成によれば、撮影された画像の色合いに大きな影響を与えるホワイトバランス値について、連続照明装置に対応する値と、写真閃光灯に対応する値とを設定し、撮影手段にて動画像や静止画像の撮影を行う。
【００９６】
よって、ユーザが外部機器に表示されたライブビュー画像を確認する際のみならず、静止画像のプリント物を確認する際においても、実像とライブビュー画像またはプリント物との色合いに違和感が生じることを効果的に防止できる。
【００９７】
【発明の効果】
本発明の写真撮影装置は、以上のように、撮影手段が、連続照明装置に対応する第１の撮影設定値にて被写体の動画像を撮影するとともに、写真閃光灯に対応する第２の撮影設定値にて被写体の静止画像を撮影するものである。
【００９８】
また、本発明の写真撮影装置の制御方法は、以上のように、連続照明装置に対応する第１の撮影設定値にて被写体の動画像を撮影するとともに、写真閃光灯に対応する第２の撮影設定値にて被写体の静止画像を撮影する方法である。
【００９９】
上記構成により、連続照明装置に対応する第１の撮影設定値にて被写体の動画像を撮影するので、該動画像を適切な色合いにて外部機器に表示させることができる。一方、写真閃光灯に対応する第２の撮影設定値にて被写体の静止画像を撮影するので、該静止画像を適切な色合いにて外部機器に印刷させることができる。
【０１００】
したがって、ユーザが外部機器に表示された上記動画像を確認する際において、実像と表示画像との色合いに違和感が生じることを防止できる。さらに、ユーザが上記静止画像のプリント物を確認する際においても、実像とプリント物との色合いに違和感が生じることを防止できる。それゆえ、ユーザの満足度の向上を図ることができるという効果を奏する。
【０１０１】
さらに、本発明の写真撮影装置は、予め設定された第１の撮影設定値と第２の撮影設定値とを用いて被写体を撮影するものであり、上述したようなホワイトバランスを自動調整するタイプのものではない。したがって、撮影時間の長期化を防止し得るという効果を奏する。また、第２の撮影設定値を外乱光の入射分を考慮して設定することにより、外乱光によってプリント物の色合いが乱されてしまうことを防止し得るという効果を奏する。
【０１０２】
また、本発明の写真撮影装置は、以上のように、上記構成の写真撮影装置において、上記撮影手段が、上記静止画像を撮影する前に、上記第１の撮影設定値を上記第２の撮影設定値に変更するものである。
【０１０３】
上記構成によれば、被写体の静止画像を撮影する際には撮影設定値が第１の撮影設定値から第２の撮影設定値に確実に変更されている。よって、より確実に該静止画像を適切な色合いにて外部機器に印刷させることができる。
【０１０４】
したがって、実像と静止画像のプリント物との色合いに違和感が生じることを確実に防止できる。それゆえ、ユーザの満足度の向上を確実に図ることができるという効果を奏する。
【０１０５】
また、本発明の写真撮影装置は、以上のように、上記構成の写真撮影装置において、上記撮影手段が、上記動画像を撮影した後に、上記第１の撮影設定値を上記第２の撮影設定値に変更するものである。
【０１０６】
上記構成によれば、被写体の動画像を撮影する際には撮影設定値が第１の撮影設定値に確実に設定されている。よって、より確実に該動画像を適切な色合いにて外部機器に表示させることができる。
【０１０７】
したがって、ユーザが外部機器に表示された上記動画像を確認する際において、実像と表示画像との色合いに違和感が生じることを確実に防止できる。それゆえ、ユーザの満足度の向上を確実に図ることができるという効果を奏する。
【０１０８】
また、本発明の写真撮影装置は、以上のように、上記構成の写真撮影装置において、上記撮影設定値が、ホワイトバランス値である。
【０１０９】
上記構成によれば、撮影された画像の色合いに大きな影響を与えるホワイトバランス値について、連続照明装置に対応する値と、写真閃光灯に対応する値とを設定し、撮影手段にて動画像や静止画像の撮影を行う。
【０１１０】
よって、ユーザが外部機器に表示された上記動画像を確認する際のみならず、静止画像のプリント物を確認する際においても、実像と表示画像またはプリント物との色合いに違和感が生じることを効果的に防止できる。それゆえ、ユーザの満足度をより向上させることができるという効果を奏する。
【０１１１】
また、本発明の写真撮影プリント装置は、以上のように、上記いずれかの構成の写真撮影装置と、上記撮影手段にて撮影した静止画像を含む画像をプリント紙にプリントするプリント手段とを備えているものである。
【０１１２】
上記構成によれば、適切な色合いで撮影された被写体の静止画像をプリント紙にプリントすることができる。したがって、ユーザが上記静止画像のプリント物を確認する際において、実像とプリント物との色合いに違和感が生じることを防止できる。それゆえ、ユーザの満足度の向上を図ることができるという効果を奏する。
【０１１３】
また、本発明のプリント紙ユニットは、以上のように、上記構成の写真撮影プリント装置に用いられるプリント紙ユニットであって、画像がプリントされるプリント紙と、上記プリント紙に関する識別情報を記録する識別媒体とを備え、上記写真撮影プリント装置に備えられた識別情報読み取り手段によって、上記識別媒体に記録されている識別情報が読み取られ、その内容が確認された上で上記プリント手段により上記プリント紙に画像がプリントされるものである。
【０１１４】
上記の構成によれば、識別情報読み取り手段で読み取った識別情報に基づいて、装着されたプリント紙が、当該写真撮影プリント装置において利用可能なものであるかを判定し、利用可能である場合にのみプリント手段を動作可能とすることが可能となる。それゆえ、写真撮影プリント装置において指定されているプリント紙以外は使用できないように設定することが可能となるという効果を奏する。
【０１１５】
また、識別情報に用紙枚数情報を含ませることによって、プリント紙を使用するごとに用紙枚数をカウントダウンすることにより、残りの用紙枚数を把握することが可能となる。それゆえ、ユーザの利用中に用紙切れを起こすというような不具合を回避することが可能となるという効果を奏する。
【０１１６】
また、識別情報に用紙種類情報を含ませることによって、これらを考慮して画像データの色成分などを補正することにより、その用紙やインクフィルムに的確な画像出力を行うことが可能となるという効果を奏する。
【図面の簡単な説明】
【図１】本発明の写真撮影装置の制御方法の一実施形態において、ホワイトバランスの設定値を変更するまでの流れを示すフローチャートである。
【図２】本発明の写真撮影プリント装置の一実施形態を示す斜視図である。
【図３】図２の写真撮影プリント装置の内部構成を示すブロック図である。
【図４】図２の写真撮影プリント装置のプレイ動作を示すフローチャートである。
【図５】ストロボランプの分光分布を示すグラフである。
【図６】蛍光灯の分光分布を示すグラフである。
【符号の説明】
１　　写真撮影プリント装置（写真撮影装置）
７　　蛍光灯（連続照明装置）
８　　正面ストロボランプ（写真閃光灯）
９　　上部白熱灯（連続照明装置）
１０　上部ストロボランプ（写真閃光灯）
１２　プリント出力装置（プリント手段）
１５　撮影カメラ（撮影手段）
１８　ＩＤタグリーダ／ライタ（識別情報読み取り手段）
１９　ＩＤタグ（識別媒体）
２０　プリント紙
【図１】
2004140528.tif 000003
【図２】
2004140528.tif 000004
【図３】
2004140528.tif 000005
【図４】
2004140528.tif 000006
【図５】
2004140528.tif 000007
【図６】
2004140528.tif 000008